(57)【要約】【課題】火災などの災害時ー般のエレベータは使えない、そこで昇降路を利用した避難救助装置を得る。【解決手段】災害発生時かごを昇降路の最上位置に移動し、避難救助袋を備えた避難開始階の昇降路扉と避難到達階の昇降路扉を開き避難開始階床と避難到達階床を形成する。次に避難開始階床から避難到達階床まで避難救助袋を吊り下げる。この避難救助袋の使用方法と注意点を写真とをパネルに表示し床面には誘導の表示を加え、併せて使用方法と注意点をスピーカで繰り返し流すようにして誰でも間違いの無いよう安心して避難救助袋を使用できるようにした。【選択図】  図１
2006056634.tif 000002
【特許請求の範囲】
【請求項１】
エレベータの昇降路に垂直式避難用救助袋を装着したことを特徴とする避難救助装置。
【請求項２】
前記昇降路は防火区画となしたことを特徴とする１項記載の避難救助装置。
【請求項３】
かごを最上階へ移動、または昇降路最上部にかごの待避ゾーンのあるものにおいては待避ゾーンにかごを移動せしめるエレベータを備えたことを特徴とする１項、２項に記載の避難救助装置。
【請求項４】
上方階に避難用救助袋を装着し避難開始階床を形成する昇降路の可動扉を備えたことを特徴とする１項から３項に記載の避難救助装置。
【請求項５】
下方階に避難救助袋が到達する避難到達階床を形成する昇降路の可動扉を備えたことを特徴とする１項から３項に記載の避難救助装置。
【請求項６】
前記下方階の可動扉は開くと同時に三方を囲む手摺が自動で立設されることを特徴とする１項から５項の何れかに記載の避難救助装置。
【請求項７】
前記上方階の可動扉は開くと同時に三方を囲む手摺が自動で立設され、床に装着した避難救助袋が避難到達階床まで吊り下げられることを特徴とする１項から５項の何れかに記載の避難救助装置。
【請求項８】
前記下方階の可動扉と上方階の可動扉はモータ駆動装置で開く、または閉じることを特徴とする１から7項の何れかに記載の避難救助装置。
【請求項９】
前記避難開始階床および避難到達階床の手摺はバネ力装置、またはモータ駆動装置で立設されされることを特徴とする１から8項の何れかに記載の避難救助装置。
【請求項１０】
前記避難開始階床が形成されると、避難誘導メツセージが流されるスピーカを備えたことを特徴とする１から9項の何れかに記載の避難救助装置。
【請求項１１】
前記避難誘導方法の写真、または図示したパネルを備えたことを特徴とする１から１０項の何れかに記載の避難救助装置。
【請求項１２】
避難誘導表示を床面に表示したことを特徴とする１から１１項の何れかに記載の避難救助装置。
【請求項１３】
避難誘導方法の映像モニターを備えたことを特徴とする１から１２項の何れかに記載の避難救助装置。
【請求項１４】
前記避難到達階床が形成され、避難誘導するメツセージが流されるスピーカを備えたことを特徴とする１から１３項の何れかに記載の避難救助装置。
【発明の詳細な説明】
【技術分野】
【０００１】
この発明はエレベータの昇降路へ避難用救助袋を装着した救助開始階床兼用の昇降路扉と救助到達階床兼用の昇降路扉を備えた避難救助装置である。
【背景技術】
【０００２】
高層建築物での移動手段はエレベータを利用するのが通例である、しかし建屋に火災などが発生した場合には、特殊なエレベータを除いては使えないのが一般的である。
災害時の救出装置として  特開２００３−２８５９８５に示すように複数のゴンドラを高層部と地上部の間で循環移動可能にループ状に固定し重力移動できるようにした避難装置があった。（例えば、特許文献１参照）
また建物のバルコニーや窓装備して垂らして使う救助避難袋装置があった。
【０００３】
【特許文献１】特開平２００３−２８５９８５号公報  図１
【発明の開示】
【発明が解決しようとする課題】
【０００４】
前者の装置はあらかじめ装置を入れるための専用の昇降路を備える必要があり、建物に余分なスペースを要するため建物効率が悪いという問題があった。
また後者の建物のバルコニーや窓から垂らして使う救助避難袋装置は多数の人を避難するには外部に面した広いスペースが必要であるといった問題や、救助避難袋を吊り下げた途中階に火災の炎が出ているとその救助避難袋は使えないという問題もあった。
【課題を解決するための手段】
【０００５】
この発明は、かかる問題点を解決するためになされたもので、防火区画内部に設けられたエレベータの昇降路を利用して災害時には下方向への移動経路として避難用救助袋（垂直螺旋降下型）を装着できるようにした。しかも災害時にはビル監視人室から遠隔操作でエレベータへの指令と連動させて装置を自動で装着し、すぐに一般乗客が避難に使用できるようにした。
【発明の効果】
【０００６】
この避難用救助装置は、専用のスペースを必要としなく既存エレベータの昇降路を利用できるため、建物効率が良いという効果がある。
【発明を実施するための最良の形態】
【０００７】
実施の形態１．
図１はこの発明の実施形態１の昇降路の縦断面図である、図２は図１の避難開始階の扉（A部詳細図）、図３は図２の昇降路扉兼避難開始階床を広げた図（図１のＢ部詳細図）、図４は避難到達階の扉（図１のC部詳細図）、図５は図４の避難到達階の床を広げた図（図１のＤ部詳細図）である。
図において１はかご、２は昇降路、３は最上階、４は避難開始階、５は避難到達階、６は避難開始階床兼昇降路扉、７は手摺装置、７ａは正面手摺、７ｂは側面手摺、８は避難用救助袋装置、８ａは前記避難用救助袋装置の蓋、８ｂは前記避難用救助袋装置の箱、８ｃは前記避難用救助袋装置の避難用救助袋、９は避難到達階床兼昇降路扉、１０は前記避難開始階床および避難到達階床の床支持装置である。
【０００８】
災害発生の情報を基に、まずビル監視所からの遠隔指令でかご内の乗客をかご内のスピーカで誘導し安全な階で降ろし、かごを昇降路の最上部の待避ゾーンに移動する。待避ゾーンのないものは昇降路の最上部へ移動する。次に避難到達階の昇降路扉９を遠隔操作で開き避難到達階の床を形成する。床は形成と同時に周りの安全手摺７が自動で立設される。次に避難開始階の昇降路扉６を遠隔操作で開き避難開始階の床を形成する。床は形成と同時に周りの安全手摺７が自動で立設され、さらに避難用救助袋８が避難到達階へ吊り下げられる。避難開始階付近の昇降路内に備えられたスピーカで避難用救助袋の使い方、注意する点と慌てないで順序良く押し合わず避難するように指導するメッセージが繰り返し流される。 
避難到達階においても速やかに救助袋から出て建物外部に誘導する放送がスピーカで繰り返し流される。
これらのメッセージが繰り返し流されることで誘導者がいなくても避難ができるといつた効果が得られる。
【０００９】
実施の形態２．
図６は実施形態２の避難開始階の床の斜視図である。図において１１は床開閉駆動装置、１２は避難用救助袋の使い方の写真と説明のパネル、１３は誘導の注意書き、１６はスピーカである。本例では前項のスピーカで避難用救助袋の使い方、注意する点の説明に加え写真と説明をパネルに示したもの１２を手摺立設に併せ自動で表示する。また床面に誘導の注意書き１３を表示したものである。
これにより初めて救助袋を使用する人も、不安なく間違いのないようにして安心して使用できるようになる。
【００１０】
実施の形態３．
図７は実施形態３の避難開始階の床の斜視図である。図において１７はビデオ映像モニターである。本例では前項に加え避難救助装置の使い方を、ビデオ映像モニター１７に編集したものを放映し、併せて注意点等を加えて音声で流すようにしたもので、より安全に間違いのないように救助袋を使用してもらえるようにしたものである。
【００１１】
実施の形態４．
実施の形態１で述べた昇降路扉を遠隔操作で開き床を形成する駆動方法の１例を図８に示す。図において１０ａは前記床支持装置の軸、１０ｂは前記床支持装置のコロ、１０ｃは前記床支持装置の支え棒、１０ｄは前記床支持装置のガイド枠、１０ｅは前記床支持装置の受け、１１ａは前記床開閉駆動装置の吊下用ワイヤーロープ、１１ｂは前記床開閉駆動装置の返し車、１１ｃは前記床開閉駆動装置の駆動機、１１ｄは前記床開閉駆動装置のモータである。昇降路扉は先端寄りをワイヤーロープ１１ａで吊下げてワイヤーロープは返し車１１ｂを介して駆動機のドラムに巻付けられている、従つて駆動機のモータを逆転すれば扉の自重により扉が開けられる。扉は下面に床支持装置１０があり支え棒の一端は軸１０ａで扉に軸支されその反対側はコロ１０ｂが軸支されガイド枠１０ｃにガイドされている、従って扉が水平になるとコロが受けに支えられ扉を水平に保持し床を形成することができる。
このようにロープで吊り下げられた扉は、長い支え棒で支えられるため安定した状態に床を保持することができる。
【００１２】
実施の形態５．
実施形態１で床の周りの安全手摺が自動で立設される、と述べたがその方法の１例を示す。図９は手摺を折り畳んだ支え部分の詳細図、図１０は図９の手摺を立設させた図である。図において１４は手摺装置、１４ａは前記手摺装置のワイヤーロープ、１４ｂは前記手摺装置の滑車、１４ｃは前記手摺装置の手摺支え、１４ｄは前記手摺装置の手摺支え、１４ｅは前記手摺装置の軸ピン、１４ｆは前記手摺装置の窪み、１４ｇは前記手摺装置のワイヤー外れ止め、１５ａは前記手摺装置の位置決め玉、１５ｂは前記手摺装置のストッパー、１５ｃは前記手摺装置のバネである。図９で手摺が畳まれた状態で図示は省略してある駆動機でワイヤーロープ１４ａを巻取ると手摺の根元が引張られ支えの軸ピン１４ｅを中心にして、図９から図１０のように手摺が９０度回転し立設される。  
手摺の根元には窪み１４ｆがあり１５ａの位置決め玉が窪みに入り固定される。
これにより手摺はストッパー１５ｂと位置決め玉１５ａの作用により立設固定され倒れないようになる。
【図面の簡単な説明】
【００１３】
【図１】この発明の実施形態１の昇降路の縦断面図である。
【図２】図１の避難開始階の扉（A部）詳細図。
【図３】図２の昇降路扉兼避難開始階床を広げた図、（図１のB部詳細図）。
【図４】避難到達階の扉（C部）詳細図。
【図５】図４の避難到達階の床を広げた図、（図１のＤ部詳細図）。
【図６】この発明の実施形態２の避難開始階床姿図で避難救助装置の使い方、注意する点をパネルに示し、さらに床にも誘導表示したものである。
【図７】この発明の実施形態３で前項に加え、避難救助装置の使い方をビデオ映像モニターで放映している図である。
【図８】実施形態4で昇降路扉を駆動装置で開ける例を示す。
【図９】実施形態5で手摺を畳んだ支え部分の詳細図。
【図１０】実施形態5の手摺を立設する詳細図。
【符号の説明】
【００１４】
１      エレベーターかご
２      昇降路   
３      最上階
４      避難開始階
５      避難到達階
６      避難開始階床兼昇降路扉
７      手摺装置
７ａ    正面手摺
７ｂ    側面手摺
８      避難用救助袋装置
８ａ    蓋
８ｂ    箱
８ｃ    避難用救助袋
９      避難到達階床兼昇降路扉
１０    床支持装置
１０ａ  軸
１０ｂ  コロ
１０ｃ  支え棒
１０ｄ  ガイド枠
１０ｅ  受け
１１    床開閉駆動装置
１１ａ  ワイヤーロープ
１１ｂ  返し車、
１１ｃ  駆動機
１１ｄ  モータ
１２    写真と説明のパネル
１３    床の誘導表示
１４    手摺装置 
１４ａ  ワイヤーロープ
１４ｂ  滑車
１４ｃ  手摺支え
１４ｄ  手摺支え
１４ｅ  軸ピン
１４ｆ  窪み
１４ｇ  ワイヤー外れ止め
１５ａ  位置決め玉
１５ｂ  ストッパー
１５ｃ  バネ
１６    スピーカ
１７    ビデオ映像モニター
【図１】
2006056634.tif 000003
【図２】
2006056634.tif 000004
【図３】
2006056634.tif 000005
【図４】
2006056634.tif 000006
【図５】
2006056634.tif 000007
【図６】
2006056634.tif 000008
【図７】
2006056634.tif 000009
【図８】
2006056634.tif 000010
【図９】
2006056634.tif 000011
【図１０】
2006056634.tif 000012